(57)【特許請求の範囲】
【請求項１】
カードの一方の面に形成される磁気ストライプに記録された磁気データを読み取るための第１の磁気ヘッドと、前記カードの他方の面に形成される磁気ストライプに記録された磁気データを読み取るための第２の磁気ヘッドと、前記第１の磁気ヘッドと前記第２の磁気ヘッドとを電気的に接続するフレキシブルケーブルとを備え、
前記第１の磁気ヘッドは、第１のコアと、前記第１のコアに巻回される第１のコイルと、前記第１のコイルの端部が接続される第１の信号端子と、前記第１の信号端子から出力されるアナログ状の出力信号を復調してデジタル状の復調信号を生成する復調用電子部品および前記復調信号を暗号化して暗号化信号を生成する暗号化用電子部品が実装される基板と、前記復調用電子部品と前記第１の信号端子とを電気的に接続するケーブルと、前記第１のコア、前記第１のコイル、前記第１の信号端子および前記ケーブルが収容されるとともに前記基板が固定されるケース体とを備え、
前記第２の磁気ヘッドは、第２のコアと、前記第２のコアに巻回される第２のコイルと、前記第２のコイルの端部が接続される第２の信号端子とを備え、
前記フレキシブルケーブルは、前記第２の磁気ヘッドから出力されるデータ信号を伝えるデータ信号パターンが形成されるデータ信号層と、前記データ信号層の表面（おもて面）および裏面を覆うとともに自身が断線したことを検知するための断線検知信号を伝える断線検知信号パターンが形成される断線検知信号層とを有する多層構造に形成され、
前記フレキシブルケーブルの一端側には、前記第２の信号端子を覆うように固定される端子覆部が形成され、
前記フレキシブルケーブルの他端側は、前記基板に接続され、
前記データ信号は、前記第１の磁気ヘッドで暗号化されることを特徴とするカードリーダ。
【請求項２】
前記フレキシブルケーブルの他端側は、前記ケース体の内部で前記基板に接続され、前記基板に覆われていることを特徴とする請求項１記載のカードリーダ。
【請求項３】
前記フレキシブルケーブルの一端側には、前記第２の信号端子が挿通されるスルーホールが形成される端子接続部が形成され、
前記端子覆部は、前記端子接続部を覆うように折り返されて前記端子接続部に固定され、
前記データ信号は、前記第２の信号端子から出力されるアナログ状の第２の出力信号であり、
前記復調用電子部品は、前記第２の出力信号を復調してデジタル状の第２の復調信号を生成し、
前記暗号化用電子部品は、前記第２の復調信号を暗号化して第２の暗号化信号を生成することを特徴とする請求項１または２記載のカードリーダ。
【請求項４】
前記第２の磁気ヘッドは、前記第２の信号端子から出力されるアナログ状の第２の出力信号を復調してデジタル状の第２の復調信号を生成する第２の復調用電子部品と、前記第２のコア、前記第２のコイル、前記第２の信号端子が収容されるとともに前記フレキシブルケーブルが固定される第２のケース体とを備え、
前記第２の復調用電子部品は、前記端子覆部に実装され、
前記端子覆部は、前記第２の復調用電子部品が前記第２のケース体の内部に配置されるように前記第２のケース体に固定され、
前記データ信号は、前記第２の復調信号であり、
前記暗号化用電子部品は、前記第２の復調信号を暗号化して第２の暗号化信号を生成することを特徴とする請求項１または２記載のカードリーダ。
【請求項５】
１個の前記第１の磁気ヘッドを備えることを特徴とする請求項１から４のいずれかに記載のカードリーダ。
【請求項６】
前記フレキシブルケーブルは、一方向へ細長い長尺状に形成され、
前記端子覆部は、前記フレキシブルケーブルの長手方向で前記端子接続部に繋がるように形成されていることを特徴とする請求項３記載のカードリーダ。
【請求項７】
前記フレキシブルケーブルは、前記フレキシブルケーブルの幅方向で前記端子接続部に繋がるように形成され、前記端子覆部を覆うように折り返されて前記端子覆部に固定される外側覆部を備えることを特徴とする請求項６記載のカードリーダ。
【請求項８】
前記フレキシブルケーブルは、前記外側覆部を覆う第２の外側覆部を備え、
前記外側覆部は、前記フレキシブルケーブルの幅方向における前記端子接続部の一端に繋がるように形成され、
前記第２の外側覆部は、前記フレキシブルケーブルの幅方向における前記端子接続部の他端に繋がるように形成され、前記外側覆部を覆うように折り返されて前記外側覆部に固定されていることを特徴とする請求項７記載のカードリーダ。
【請求項９】
前記断線検知信号層には、前記断線検知信号パターンとの間の短絡を検知するための短絡検知信号を伝える短絡検知信号パターンが形成されていることを特徴とする請求項１から８のいずれかに記載のカードリーダ。
【発明の詳細な説明】
【技術分野】
【０００１】
本発明は、カードに記録された磁気データを読み取るための複数の磁気ヘッドを備えるカードリーダに関する。
【背景技術】
【０００２】
従来、カードに記録された磁気データを読み取るカードリーダが広く利用されている。この種のカードリーダでは、たとえば、カードが通過するカード通過路に配置された磁気ヘッドによって、カードに記録された磁気データが読み取られている。また、カードリーダが利用される業界においては、従来、犯罪者が磁気ヘッド等に信号線を取り付けて、カードに記録された磁気情報を不正に取得するいわゆるスキミングが大きな問題となっている。
【０００３】
そこで、従来、このスキミングを防止することが可能な磁気ヘッドが本願発明者によって提案されている（たとえば、特許文献１参照）。特許文献１に記載の磁気ヘッドでは、磁気ヘッドのヘッドケースの内部において、磁気ヘッドの端子とフレキシブルケーブルの一端とが接続されている。また、フレキシブルケーブルの他端は、ヘッドケースの内部において、基板の一方の面に接続されている。基板の一方の面には、磁気ヘッドの端子からの出力信号を復調する復調ＩＣが実装され、基板の他方の面には、復調ＩＣからの復調信号を暗号化するＣＰＵが実装されている。基板は、復調ＩＣがケース体の内部に配置され、ＣＰＵがケース体の外部に配置されるように、ヘッドケースに固定されている。ＣＰＵは、ＢＧＡ（Ｂａｌｌ  Ｇｒｉｄ  Ａｒｒａｙ）型の電子部品であり、ＣＰＵの電極は、ＣＰＵの基板への実装面内に配置されている。
【０００４】
特許文献１に記載の磁気ヘッドは、以上のように構成されているため、磁気ヘッドの端子、フレキシブルケーブル、復調ＩＣの電極およびＣＰＵの電極等へスキミング用の信号線が取り付けられるのを防止することが可能になる。したがって、特許文献１に記載の磁気ヘッドでは、暗号化前の信号がスキミング用の信号線で取り出されるのを防止することが可能になり、その結果、スキミングを防止することが可能になる。
【先行技術文献】
【特許文献】
【０００５】
【特許文献１】特開２０１１−４０１４０号公報
【発明の概要】
【発明が解決しようとする課題】
【０００６】
カードリーダの中には、複数の磁気ヘッドが搭載されるものがある。ここで、複数の磁気ヘッドが搭載されるカードリーダであっても、搭載される全ての磁気ヘッドを特許文献１に記載の磁気ヘッドにすれば、スキミングを防止することが可能になる。しかしながら、特許文献１に記載の磁気ヘッドは、ＣＰＵ等の高価な部品を有しているため、カードリーダに搭載される全ての磁気ヘッドを特許文献１に記載の磁気ヘッドにすると、カードリーダのコストが上昇する。
【０００７】
そこで、本発明の課題は、複数の磁気ヘッドが搭載されている場合であっても、スキミングを防止しつつ、コストを低減することが可能なカードリーダを提供することにある。
【課題を解決するための手段】
【０００８】
上記の課題を解決するため、本発明のカードリーダは、カードの一方の面に形成される磁気ストライプに記録された磁気データを読み取るための第１の磁気ヘッドと、カードの他方の面に形成される磁気ストライプに記録された磁気データを読み取るための第２の磁気ヘッドと、第１の磁気ヘッドと第２の磁気ヘッドとを電気的に接続するフレキシブルケーブルとを備え、第１の磁気ヘッドは、第１のコアと、第１のコアに巻回される第１のコイルと、第１のコイルの端部が接続される第１の信号端子と、第１の信号端子から出力されるアナログ状の出力信号を復調してデジタル状の復調信号を生成する復調用電子部品および復調信号を暗号化して暗号化信号を生成する暗号化用電子部品が実装される基板と、復調用電子部品と第１の信号端子とを電気的に接続するケーブルと、第１のコア、第１のコイル、第１の信号端子およびケーブルが収容されるとともに基板が固定されるケース体とを備え、第２の磁気ヘッドは、第２のコアと、第２のコアに巻回される第２のコイルと、第２のコイルの端部が接続される第２の信号端子とを備え、フレキシブルケーブルは、第２の磁気ヘッドから出力されるデータ信号を伝えるデータ信号パターンが形成されるデータ信号層と、データ信号層の表面（おもて面）および裏面を覆うとともに自身が断線したことを検知するための断線検知信号を伝える断線検知信号パターンが形成される断線検知信号層とを有する多層構造に形成され、フレキシブルケーブルの一端側には、第２の信号端子を覆うように固定される端子覆部が形成され、フレキシブルケーブルの他端側は、基板に接続され、データ信号は、第１の磁気ヘッドで暗号化されることを特徴とする。
【０００９】
本発明のカードリーダでは、第１の磁気ヘッドのケース体の内部に、アナログ状の出力信号を出力する第１の信号端子と、復調用電子部品と第１の信号端子とを電気的に接続するケーブルとが収容されている。そのため、本発明では、第１の信号端子やケーブルにスキミング用の信号線が取り付けられるのを防止することが可能になる。また、本発明では、第１の磁気ヘッドは、復調用電子部品および暗号化用電子部品が実装される基板を備えているため、たとえば、復調用電子部品および暗号化用電子部品がケース体の内部に配置されるように基板をケース体に固定することで、あるいは、特許文献１に記載の磁気ヘッドと同様に復調用電子部品や暗号化用電子部品を配置することで、復調用電子部品の電極および暗号化用電子部品の電極等へスキミング用の信号線が取り付けられるのを防止することが可能になる。したがって、第１の磁気ヘッドから暗号化前の出力信号および復調信号がスキミング用の信号線によって取り出されるのを防止することが可能になる。
【００１０】
また、本発明では、フレキシブルケーブルの一端側に形成される端子覆部は、第２の磁気ヘッドの第２の信号端子を覆うように固定されている。そのため、端子覆部によって、第２の信号端子へスキミング用の信号線が取り付けられるのを防止することが可能になる。また、本発明では、データ信号パターンが形成されるフレキシブルケーブルのデータ信号層の表面（おもて面）および裏面は、断線検知信号パターンが形成される断線検知信号層によって覆われている。そのため、犯罪者がデータ信号パターンへスキミング用の信号線を取り付けようとしたときに、犯罪行為が行われていることを断線検知信号パターンを用いて検知することが可能になる。したがって、フレキシブルケーブルのデータ信号パターンへスキミング用の信号線が取り付けられるのを防止することが可能になる。その結果、本発明では、第２の磁気ヘッドに暗号化用電子部品が設けられていなくても、第２の磁気ヘッドおよびフレキシブルケーブルから暗号化前のデータ信号がスキミング用の信号線によって取り出されるのを防止することが可能になる。さらに、本発明では、フレキシブルケーブルの他端側が基板に接続されており、第２の磁気ヘッドからのデータ信号は、第１の磁気ヘッドで暗号化されている。そのため、カードリーダが搭載される上位装置と第１の磁気ヘッドとの間で暗号化前のデータ信号がスキミング用の信号線によって取り出されるのを防止することが可能になる。
【００１１】
また、本発明では、第２の磁気ヘッドからのデータ信号が第１の磁気ヘッドで暗号化されているため、第１の磁気ヘッドからの暗号化後の磁気データと、第２の磁気ヘッドからの暗号化後の磁気データとを統合する統合回路をカードリーダが備えていなくても、第１の磁気ヘッドからの暗号化後の磁気データと、第２の磁気ヘッドからの暗号化後の磁気データとを共通のインターフェースで上位回路へ伝達することが可能になる。
【００１２】
このように、本発明では、第１の磁気ヘッドから暗号化前の出力信号および復調信号がスキミング用の信号線によって取り出されるのを防止することが可能になる。また、第２の磁気ヘッドに暗号化用電子部品が設けられていなくても、第２の磁気ヘッドおよびフレキシブルケーブルから暗号化前のデータ信号がスキミング用の信号線によって取り出されるのを防止することが可能になり、かつ、上位装置と第１の磁気ヘッドとの間で暗号化前のデータ信号がスキミング用の信号線によって取り出されるのを防止することが可能になる。また、本発明では、第１の磁気ヘッドからの暗号化後の磁気データと、第２の磁気ヘッドからの暗号化後の磁気データとを統合する統合回路をカードリーダが備えていなくても、第１の磁気ヘッドからの暗号化後の磁気データと、第２の磁気ヘッドからの暗号化後の磁気データとを共通のインターフェースで上位回路へ伝達することが可能になる。したがって、本発明では、複数の磁気ヘッドが搭載されている場合であっても、スキミングを防止しつつ、カードリーダのコストを低減することが可能になる。
【００１３】
本発明において、フレキシブルケーブルの他端側は、ケース体の内部で基板に接続され、基板に覆われていることが好ましい。このように構成すると、フレキシブルケーブルの他端側と基板との接続部分にスキミング用の信号線が取り付けられるのを防止することが可能になる。したがって、第２の磁気ヘッドから出力される暗号化前のデータ信号がスキミング用の信号線によって取り出されるのをより確実に防止することが可能になる。
【００１４】
本発明において、フレキシブルケーブルの一端側には、第２の信号端子が挿通されるスルーホールが形成される端子接続部が形成され、端子覆部は、端子接続部を覆うように折り返されて端子接続部に固定され、データ信号は、第２の信号端子から出力されるアナログ状の第２の出力信号であり、復調用電子部品は、第２の出力信号を復調してデジタル状の第２の復調信号を生成し、暗号化用電子部品は、第２の復調信号を暗号化して第２の暗号化信号を生成することが好ましい。このように構成すると、第２の信号端子が外部に露出している標準的な磁気ヘッド（すなわち、磁気ヘッドの汎用品）が第２の磁気ヘッドとして使用されていても、第２の信号端子へスキミング用の信号線が取り付けられるのを防止することが可能になる。また、このように構成すると、共通の復調用電子部品および暗号化電子部品を用いて、第１の磁気ヘッドの出力信号および第２の磁気ヘッドの第２の出力信号を復調して暗号化することが可能になる。したがって、カードリーダの構成を簡素化して、カードリーダのコストをより低減することが可能になる。
【００１５】
本発明において、第２の磁気ヘッドは、第２の信号端子から出力されるアナログ状の第２の出力信号を復調してデジタル状の第２の復調信号を生成する第２の復調用電子部品と、第２のコア、第２のコイル、第２の信号端子が収容されるとともにフレキシブルケーブルが固定される第２のケース体とを備え、第２の復調用電子部品は、端子覆部に実装され、端子覆部は、第２の復調用電子部品が第２のケース体の内部に配置されるように第２のケース体に固定され、データ信号は、第２の復調信号であり、暗号化用電子部品は、第２の復調信号を暗号化して第２の暗号化信号を生成しても良い。この場合には、第２の復調信号がフレキシブルケーブルによって伝達されるため、第２の信号端子からの出力信号がフレキシブルケーブルによって伝達される場合と比較して、耐ノイズ性を高めることが可能になる。
【００１６】
本発明において、カードリーダは、１個の第１の磁気ヘッドを備えることが好ましい。このように構成すると、第１の磁気ヘッドからの暗号化後の磁気データと、第２の磁気ヘッドからの暗号化後の磁気データとを単一のインターフェースによって上位回路へ伝達することが可能になる。したがって、カードリーダの構成をより簡素化することが可能になる。
【００１７】
本発明において、フレキシブルケーブルは、一方向へ細長い長尺状に形成され、端子覆部は、フレキシブルケーブルの長手方向で端子接続部に繋がるように形成されていることが好ましい。このように構成すると、フレキシブルケーブルの幅方向で端子接続部に繋がるように端子覆部が形成されている場合と比較して、フレキシブルケーブルの構成を簡素化することが可能になる。
【００１８】
本発明において、フレキシブルケーブルは、フレキシブルケーブルの幅方向で端子接続部に繋がるように形成され、端子覆部を覆うように折り返されて端子覆部に固定される外側覆部を備えることが好ましい。このように構成すると、フレキシブルケーブルの幅方向における端子接続部の端面および端子覆部の端面を外側覆部で覆うことが可能になる。したがって、フレキシブルケーブルの幅方向における端子接続部の端面と端子覆部の端面との間から第２の信号端子等にスキミング用の信号線が取り付けられるのを、外側覆部によって防止することが可能になる。
【００１９】
本発明において、フレキシブルケーブルは、外側覆部を覆う第２の外側覆部を備え、外側覆部は、フレキシブルケーブルの幅方向における端子接続部の一端に繋がるように形成され、第２の外側覆部は、フレキシブルケーブルの幅方向における端子接続部の他端に繋がるように形成され、外側覆部を覆うように折り返されて外側覆部に固定されていることが好ましい。このように構成すると、フレキシブルケーブルの幅方向の両側において、端子接続部の端面および端子覆部の端面を外側覆部および第２の外側覆部で覆うことが可能になる。したがって、フレキシブルケーブルの幅方向の両側において、端子接続部の端面と端子覆部の端面との間から第２の信号端子等にスキミング用の信号線が取り付けられるのを、外側覆部および第２の外側覆部によって防止することが可能になる。
【００２０】
本発明において、断線検知信号層には、断線検知信号パターンとの間の短絡を検知するための短絡検知信号を伝える短絡検知信号パターンが形成されていることが好ましい。このように構成すると、断線検知信号が機能しないようにするために犯罪者が断線検知信号パターンに所定の細工を行った場合に、短絡検知信号パターンの短絡検知機能によって、犯罪行為が行われていることを検知することが可能になる。
【発明の効果】
【００２１】
以上のように、本発明のカードリーダでは、複数の磁気ヘッドが搭載されている場合であっても、スキミングを防止しつつ、コストを低減することが可能になる。
【図面の簡単な説明】
【００２２】
【図１】本発明の実施の形態にかかるカードリーダの斜視図である。
【図２】図１のＥ−Ｅ方向からカードリーダの構成を説明するための概略図である。
【図３】図２に示す磁気ヘッドおよび上位回路の電気的な接続関係を説明するためのブロック図である。
【図４】図２に示す磁気ヘッドの構成を説明するための概略側面図である。
【図５】図４のＦ−Ｆ方向から復調ＩＣとＣＰＵとの配置関係を説明するための平面図である。
【図６】図４に示すフレキシブルケーブルの展開図である。
【図７】図４に示す磁気ヘッドへのフレキシブルケーブルの取付手順を示す斜視図である。
【図８】図６のＧ−Ｇ断面の断面図である。
【図９】図４に示すフレキシブルケーブル内の信号パターンの接続関係を示すブロック図である。
【図１０】本発明の他の実施の形態にかかる磁気ヘッドおよび上位回路の電気的な接続関係を説明するためのブロック図である。
【図１１】本発明の他の実施の形態にかかる第２の磁気ヘッドの構成を説明するための概略側面図である。
【発明を実施するための形態】
【００２３】
以下、図面を参照しながら、本発明の実施の形態を説明する。
【００２４】
（カードリーダの概略構成）
図１は、本発明の実施の形態にかかるカードリーダ１の斜視図である。図２は、図１のＥ−Ｅ方向からカードリーダ１の構成を説明するための概略図である。図３は、図２に示す磁気ヘッド４、磁気ヘッド５および上位回路８の電気的な接続関係を説明するためのブロック図である。
【００２５】
本形態のカードリーダ１は、カード２に記録された磁気データの読み取るための装置である。具体的には、長方形状に形成されるカード２の短手幅よりも浅い溝状に形成されたカード通過路３に沿って手動でカード２を移動させながらカード２の磁気データを読み取るいわゆるスワイプ式のカードリーダである。このカードリーダ１は、所定の上位装置に搭載されて使用される。
【００２６】
カードリーダ１は、カード２に記録された磁気データを読み取るための磁気ヘッド（第１の磁気ヘッド）４および磁気ヘッド（第２の磁気ヘッド）５と、磁気ヘッド４と磁気ヘッド５とを電気的に接続するフレキシブルケーブル６と、カードリーダ１が搭載される上位装置と磁気ヘッド４とを電気的に接続するフレキシブルケーブル等のケーブル７とを備えている。本形態のカードリーダ１は、１個の磁気ヘッド４と１個の磁気ヘッド５とを備えている。
【００２７】
カード２は、たとえば、厚さが０．７〜０．８ｍｍ程度の矩形状の塩化ビニール製のカードである。カード２の裏面２ａには、図１に示すように、磁気データが記録される磁気ストライプ２ｂが形成されている。また、カード２の表面（おもて面）にも、磁気ストライプ（図示省略）が形成されている。なお、カード２は、表面（おもて面）に接点端子が形成される磁気ストライプ付きの接触式ＩＣカードであっても良いし、データ通信用のアンテナが内蔵される磁気ストライプ付きの非接触式ＩＣカードであっても良い。また、カード２は、厚さが０．１８〜０．３６ｍｍ程度のＰＥＴ（ポリエチレンテレフタレート）カードであっても良いし、所定の厚さの紙カード等であっても良い。
【００２８】
磁気ヘッド４および磁気ヘッド５は、その磁気ギャップがカード通過路３に臨むように配置されている。また、磁気ヘッド４と磁気ヘッド５とは、その磁気ギャップが互いに対向するように配置されている。本形態では、カード２の裏面２ａの磁気ストライプ２ｂに当接するように磁気ヘッド４が配置され、カード２の表面（おもて面）の磁気ストライプに当接するように磁気ヘッド５が配置されている。フレキシブルケーブル６の一端側は、磁気ヘッド５に接続され、フレキシブルケーブル６の他端側は、磁気ヘッド４に接続されている。ケーブル７の一端側は、磁気ヘッド４に接続され、ケーブル７の他端側は、カードリーダ１が搭載される上位装置に設けられた上位回路８に接続されている。
【００２９】
（磁気ヘッドおよびフレキシブルケーブルの構成）
図４は、図２に示す磁気ヘッド４、５の構成を説明するための概略側面図である。図５は、図４のＦ−Ｆ方向から復調ＩＣ１１とＣＰＵ１２との配置関係を説明するための平面図である。図６は、図４に示すフレキシブルケーブル６の展開図である。図７は、図４に示す磁気ヘッド５へのフレキシブルケーブル６の取付手順を示す斜視図である。図８は、図６のＧ−Ｇ断面の断面図である。図９は、図４に示すフレキシブルケーブル６内の信号パターンの接続関係を示すブロック図である。なお、以下の説明では、図４のＺ１方向側を「上」側、図４のＺ２方向側を「下」側とする。
【００３０】
磁気ヘッド４は、カード２の磁気ストライプ２ｂに記録される３トラックの磁気データの読取が可能な３チャンネル型の磁気ヘッドである。この磁気ヘッド４は、磁気データを読み取るための磁気ギャップが形成されるコア（第１のコア）およびこのコアに巻回されるコイル（第１のコイル）によって構成される磁気データ読取部９（図３参照）と、コイルの端部が一端側に接続される信号端子（第１の信号端子）１０（図４参照）とを備えている。また、磁気ヘッド４は、復調ＩＣ１１およびＣＰＵ１２が実装される基板１３と、信号端子１０と復調ＩＣ１１とを電気的に接続するケーブルとしてのフレキシブルケーブル１４とを備えている。コア、コイル、信号端子１０およびフレキシブルケーブル１４は、磁気ヘッド４のケース体１５の内部に収容されている。コアは、ケース体１５の下端側に固定されている。
【００３１】
復調ＩＣ１１は、信号端子１０から出力されるアナログ状の出力信号を復調してデジタル状の復調信号を生成する機能を果たしている。すなわち、本形態の復調ＩＣ１１は、信号端子１０から出力されるアナログ状の出力信号を復調してデジタル状の復調信号を生成する復調用電子部品である。この復調ＩＣ１１は、扁平な直方体状に形成されている。
【００３２】
ＣＰＵ１２は、所定の暗号化関数と鍵データとによって復調信号を暗号化して暗号化信号を生成する機能を果たしている。すなわち、本形態のＣＰＵ１２は、復調信号を暗号化して暗号化信号を生成する暗号化用電子部品である。このＣＰＵ１２は、扁平な直方体状に形成されている。本形態では、ＣＰＵ１２の扁平方向（上下方向）から見たときのＣＰＵ１２の外形は、扁平方向から見たときの復調ＩＣ１１の外形よりも大きくなっている。
【００３３】
ＣＰＵ１２の、基板１３への実装面１２ａには、ＣＰＵ１２を基板１３へ電気的に接続するための複数の電極（図示省略）が配置されている。具体的には、ＣＰＵ１２の実装面１２ａには、略半球状に形成された半田ボール（半田バンプ）が格子状に配列されている。すなわち、本形態のＣＰＵ１２は、基板１３への実装面１２ａに複数の半田ボールが配置されたＢＧＡ型の電子部品である。
【００３４】
復調ＩＣ１１は、基板１３の一方の面（下面）１３ａに実装されている。一方、ＣＰＵ１２は、基板１３の他方の面（上面）１３ｂに実装されている。本形態では、図５に示すように、基板１３の厚さ方向（上下方向）から見たときに、ＣＰＵ１２の外形の中に復調ＩＣ１１が入るように、復調ＩＣ１１およびＣＰＵ１２が基板１３に実装されている。すなわち、上下方向において、復調ＩＣ１１の全体がＣＰＵ１２と重なるように、復調ＩＣ１１およびＣＰＵ１２が基板１３に実装されている。
【００３５】
基板１３は、図示を省略する絶縁層と導体層とが交互に積層された多層構造に形成されている。本形態では、基板１３の、復調ＩＣ１１とＣＰＵ１２とを電気的に接続する信号パターン１６（図３参照）は、基板１３の厚さ方向から見たときに、ＣＰＵ１２の外形の中に入るように、引き回されている。すなわち、本形態では、信号パターン１６は、ＣＰＵ１２の下側に形成されている。
【００３６】
基板１３は、ケース体１５の上端を塞ぐようにケース体１５の上端に固定されている。具体的には、復調ＩＣ１１がケース体１５の内部に配置されるとともに、ＣＰＵ１２がケース体１５の外部に配置されるように、基板１３は、ケース体１５に固定されている。基板１３には、ケーブル７の一端側が接続されている。ケーブル７の一端側は、基板１３内の信号パターンを介してＣＰＵ１２に接続されており、ＣＰＵ１２からの暗号化信号は、ケーブル７を介して上位回路８へ入力される。
【００３７】
フレキシブルケーブル１４の一端側は、信号端子１０の他端側に接続されている。フレキシブルケーブル１４の他端側は、基板１３の一方の面１３ａに半田付けされて固定されており、基板１３内の信号パターンを介して復調ＩＣ１１に接続されている。
【００３８】
ケース体１５の内部には、樹脂が充填されており、信号端子１０、復調ＩＣ１１およびフレキシブルケーブル１４は、この樹脂の中に埋まっている。樹脂は、たとえば、不透明なエポキシ系の樹脂であり、基板１３をケース体１５に固定する機能も果たしている。また、基板１３の他方の面１３ｂおよびＣＰＵ１２の全体は、不透明なエポキシ系の樹脂等の樹脂（図示省略）によって覆われている。すなわち、基板１３の他方の面１３ｂおよびＣＰＵ１２の全体は、樹脂によって封止されている。
【００３９】
磁気ヘッド５は、カード２の表面（おもて面）の磁気ストライプに記録される１トラックの磁気データの読取が可能な１チャンネル型の磁気ヘッドである。この磁気ヘッド５は、磁気データを読み取るための磁気ギャップが形成されるコア（第２のコア）と、このコアに巻回されるコイル（第２のコイル）と、このコイルの端部が一端側に接続される信号端子（第２の信号端子）２０とを備えている。コアおよびコイルは、ケース体（第２のケース体）２１の内部に収容されている。また、コア、コイルおよび信号端子２０の一端側は、ケース体２１の内部に充填される樹脂で覆われている。上述のように、磁気ヘッド５は、１チャンネル型の磁気ヘッドであり、２本の信号端子２０を備えている。信号端子２０の他端側は、ケース体２１から突出しており、磁気ヘッド５の外部に露出している。
【００４０】
フレキシブルケーブル６は、一方向へ細長い長尺状に形成されている。このフレキシブルケーブル６は、図６、図７に示すように、信号端子２０が挿通されるスルーホール２２が形成される端子接続部６ａと、端子接続部６ａを覆うように折り返されて端子接続部６ａに固定される端子覆部としての折返し部６ｂと、折返し部６ｂを覆うように折り返されて折返し部６ｂに固定される外側覆部としての第１折畳み部６ｃと、第１折畳み部６ｃを覆うように折り返されて第１折畳み部６ｃに固定される第２の外側覆部としての第２折畳み部６ｄとを備えている。端子接続部６ａおよび折返し部６ｂは、フレキシブルケーブル６の長手方向の一端側に形成され、フレキシブルケーブル６の長手方向の他端側には、基板１３に接続される接続端子部２３が形成されている。
【００４１】
端子接続部６ａには、磁気ヘッド５が有する２本の信号端子２０に対応するように、２個のスルーホール２２が形成されている。折返し部６ｂは、フレキシブルケーブル６の長手方向で端子接続部６ａに繋がるように形成されている。フレキシブルケーブル６の長手方向に直交するフレキシブルケーブル６の幅方向において、折返し部６ｂの幅は、端子接続部６ａの幅と等しくなっている。また、折返し部６ｂの面積は、端子接続部６ａの面積と等しくなっている。
【００４２】
第１折畳み部６ｃおよび第２折畳み部６ｄは、フレキシブルケーブル６の幅方向で端子接続部６ａに繋がるように形成されている。具体的には、フレキシブルケーブル６の幅方向における端子接続部６ａの一端に繋がるように第１折畳み部６ｃが形成され、フレキシブルケーブル６の幅方向における端子接続部６ａの他端に繋がるように第２折畳み部６ｄが形成されている。すなわち、フレキシブルケーブル６は、略Ｔ形状に形成されている。第１折畳み部６ｃには、ランド２４が形成され、第２折畳み部６ｄには、ランド２５が形成されている。
【００４３】
フレキシブルケーブル６の長手方向において、第１折畳み部６ｃおよび第２折畳み部６ｄの幅は、端子接続部６ａの幅と等しくなっている。また、第１折畳み部６ｃの面積は、端子接続部６ａの面積と等しくなっている。一方、第２折畳み部６ｄの面積は、端子接続部６ａの面積よりも小さくなっている。たとえば、第２折畳み部６ｄの面積は、端子接続部６ａの面積の１／６程度となっている。
【００４４】
端子接続部６ａは、図７（Ａ）に示すように、信号端子２０が突出する磁気ヘッド５の端子面に固定されている。具体的には、スルーホール２２に信号端子２０が挿通された状態で、接着によって、端子接続部６ａが磁気ヘッド５の端子面に固定されている。また、スルーホール２２と信号端子２０とは半田付けされている。折返し部６ｂは、図７（Ｂ）に示すように、端子接続部６ａおよび信号端子２０の端部を上側から覆うように折り返されて、端子接続部６ａに固定されている。また、折返し部６ｂは、接着によって端子接続部６ａに固定されている。
【００４５】
第１折畳み部６ｃは、図７（Ｃ）に示すように、上側から折返し部６ｂを覆うように折り返されて、折返し部６ｂに固定されている。また、第１折畳み部６ｃは、接着によって折返し部６ｂに固定されている。第２折畳み部６ｄは、図７（Ｄ）に示すように、上側から第１折畳み部６ｃの一部を覆うように折り返されて、第１折畳み部６ｃに固定されている。第２折畳み部６ｄが折り返されると、第１折畳み部６ｃのランド２４に第２折畳み部６ｄのランド２５が重なる。本形態では、ランド２４にランド２５が半田付けされることで、第２折畳み部６ｄが第１折畳み部６ｃに固定されている。
【００４６】
また、フレキシブルケーブル６は、図８に示すように、データ信号層２７と、断線検知信号層２８と、絶縁層２９とを備える多層構造に形成されている。フレキシブルケーブル６では、フレキシブルケーブル６の表面（おもて面）から裏面に向かって、絶縁層２９、断線検知信号層２８、絶縁層２９、データ信号層２７、絶縁層２９、断線検知信号層２８および絶縁層２９がこの順番に積層されている。すなわち、データ信号層２７の表面（おもて面）および裏面は、絶縁層２９を介して断線検知信号層２８に覆われている。
【００４７】
データ信号層２７には、磁気ヘッド５から出力されるデータ信号を伝えるデータ信号パターン３１（図９参照）が形成されている。本形態では、２本の信号端子２０に対応するように、２本のデータ信号パターン３１がデータ信号層２７に形成されている。データ信号パターン３１の一端は、スルーホール２２に電気的に繋がっている。また、図９に示すように、データ信号パターン３１の他端は、接続端子部２３に形成される磁気ヘッド信号端子３２に電気的に繋がっている。すなわち、データ信号パターン３１は、信号端子２０と磁気ヘッド信号端子３２とを電気的に繋いでいる。なお、本形態では、第１折畳み部６ｃおよび第２折畳み部６ｄのデータ信号層２７には、データ信号パターン３１は形成されていない。
【００４８】
断線検知信号層２８には、断線検知信号パターン３３、３４（図９参照）が形成されている。断線検知信号パターン３３、３４は、データ信号パターン３１へのスキミング用の信号線の取付を防止するため、断線検知信号パターン３３、３４自身が断線したことを検知するための断線検知信号を伝えている。本形態では、断線検知信号の入力側の断線検知信号パターン３３と、断線検知信号の出力側の断線検知信号パターン３４とが断線検知信号層２８に形成されている。なお、断線検知信号パターン３３、３４は、フレキシブルケーブル６の幅方向に複数回折り返されて形成されており、全体として略網状に形成されている。
【００４９】
図９に示すように、断線検知信号パターン３３の一端は、第２折畳み部６ｄのランド２５に電気的に繋がっており、断線検知信号パターン３３の他端は、接続端子部２３に形成される断線検知端子３５に電気的に繋がっている。断線検知信号パターン３４の一端は、第１折畳み部６ｃのランド２４に電気的に繋がっており、断線検知信号パターン３４の他端は、接続端子部２３に形成される断線検知端子３６に電気的に繋がっている。なお、断線検知信号パターン３３の一端がランド２４に繋がり、断線検知信号パターン３４の一端がランド２５に繋がっていても良い。
【００５０】
上述のように、ランド２４とランド２５とは半田付けされているため、断線検知端子３５と断線検知端子３６とは、断線検知信号パターン３３、３４およびランド２４、２５を介して電気的に接続されている。本形態では、基板１３および断線検知端子３５を介して上位回路８から入力される断線検知信号が断線検知端子３６および基板１３を介して上位回路８へ戻らないと、断線検知信号パターン３３、３４が断線したことが検知される。このように、本形態では、ランド２４、２５は、断線検知信号パターン３３、３４が機能するように、断線検知信号パターン３３と断線検知信号パターン３４とを繋いでいる。
【００５１】
また、断線検知信号層２８には、短絡検知信号パターン３７（図９参照）が形成されている。短絡検知信号パターン３７は、断線検知信号パターン３３、３４と短絡検知信号パターン３７との間の短絡を検知するための短絡検知信号を伝えている。図９に示すように、短絡検知信号パターン３７の一端は、接続端子部２３に形成される短絡検知端子３８に電気的に繋がっており、短絡検知信号パターン３７の他端は、接続端子部２３に形成される短絡検知端子３９に電気的に繋がっている。なお、本形態では、第１折畳み部６ｃおよび第２折畳み部６ｄの断線検知信号層２８にも、断線検知信号パターン３３、３４および短絡検知信号パターン３７が形成されている。
【００５２】
図４に示すように、端子接続部２３は、基板１３の一方の面（下面）１３ａに半田付けされて固定されており、ケース体１５の内部に配置されている。すなわち、フレキシブルケーブル６の他端側は、ケース体１５の上端と基板１３の一方の面１３ａとの間からケース体１５の内部に引き込まれて、ケース体１５の内部で基板１３に接続されており、その上面側は、基板１３に覆われている。また、端子接続部２３の磁気ヘッド信号端子３２は、基板１３内の信号パターンを介して復調ＩＣ１１に接続されている。
【００５３】
上述のように、データ信号パターン３１は、信号端子２０に電気的に接続されており、信号端子２０から出力されるアナログ状の出力信号（第２の出力信号）をデータ信号として、磁気ヘッド信号端子３２を介して基板１３へ伝える。また、上述のように、磁気ヘッド信号端子３２は、基板１３内の信号パターンを介して復調ＩＣ１１に接続されているため、基板１３へ伝えられたデータ信号は、復調ＩＣ１１で復調されてデジタル状の復調信号（第２の復調信号）となり、この復調信号は、ＣＰＵ１２で暗号化されて暗号化信号（第２の暗号化信号）となる。すなわち、本形態では、磁気ヘッド５から出力されるデータ信号は、磁気ヘッド４で暗号化されている。
【００５４】
（本形態の主な効果）
以上説明したように、本形態では、信号端子１０、復調ＩＣ１１およびフレキシブルケーブル１４がケース体１５の内部に収容されており、ケース体１５の上端は、基板１３によって塞がれている。そのため、信号端子１０、復調ＩＣ１１の電極およびフレキシブルケーブル１４等にスキミング用の信号線が取り付けられるのを防止することが可能になる。また、本形態では、ＣＰＵ１２がＢＧＡ型の電子部品であるため、ＣＰＵ１２がケース体１５の外部に配置されていても、ＣＰＵ１２と基板１３とを電気的に接続するＣＰＵ１２の電極にスキミング用の信号線が取り付けられるのを防止することが可能になる。さらに、本形態では、基板１３の、復調ＩＣ１１とＣＰＵ１２とを電気的に接続する信号パターン１６が、基板１３の厚さ方向から見たときに、ＣＰＵ１２の外形の中に入るように、引き回されているため、ＣＰＵ１２がケース体１５の外部に配置されていても、信号パターン１６にスキミング用の信号線が取り付けられるのを防止することが可能になる。したがって、本形態では、磁気ヘッド４から暗号化前の出力信号および復調信号がスキミング用の信号線によって取り出されるのを防止することが可能になる。
【００５５】
また、本形態では、信号端子２０が挿通されるスルーホール２２が形成された端子接続部６ａを覆うように、折返し部６ｂが折り返されて端子接続部６ａに固定されており、信号端子２０は、折返し部６ｂによって覆われている。そのため、信号端子２０へスキミング用の信号線が取り付けられるのを防止することが可能になる。また、本形態では、データ信号層２７の表面（おもて面）および裏面は、断線検知信号層２８によって覆われているため、犯罪者がデータ信号パターン３１へスキミング用の信号線を取り付けようとしたときに、犯罪行為が行われていることを断線検知信号パターン３３、３４を用いて検知することが可能になる。したがって、本形態では、データ信号パターン３１へスキミング用の信号線が取り付けられるのを防止することが可能になる。さらに、本形態では、フレキシブルケーブル６の他端側は、ケース体１５の内部で基板１３に接続され、その上面側は、基板１３に覆われているため、フレキシブルケーブル６の他端側と基板１３との接続部分にスキミング用の信号線が取り付けられるのを防止することが可能になる。したがって、本形態では、磁気ヘッド５に暗号化用のＣＰＵが設けられていなくても、磁気ヘッド５、フレキシブルケーブル６および基板１３から暗号化前のデータ信号がスキミング用の信号線によって取り出されるのを防止することが可能になる。また、本形態では、磁気ヘッド５から出力されるデータ信号は、磁気ヘッド４で暗号化されている。そのため、ケーブル７から暗号化前のデータ信号がスキミング用の信号線によって取り出されるのを防止することが可能になる。
【００５６】
このように、本形態では、磁気ヘッド４から暗号化前の出力信号および復調信号がスキミング用の信号線によって取り出されるのを防止することが可能になり、かつ、磁気ヘッド５、フレキシブルケーブル６および基板１３から暗号化前のデータ信号がスキミング用の信号線によって取り出されるのを防止することが可能になる。また、ケーブル７から、暗号化されていない磁気データがスキミング用の信号線によって取り出されるのを防止することが可能になる。したがって、本形態のカードリーダ１では、スキミングを防止することが可能になる。
【００５７】
本形態では、磁気ヘッド５からのデータ信号が磁気ヘッド４で暗号化されている。そのため、磁気ヘッド５からの暗号化後の磁気データと、磁気ヘッド４からの暗号化後の磁気データとを統合する統合回路をカードリーダ１が備えていなくても、磁気ヘッド４からの暗号化後の磁気データと、磁気ヘッド５からの暗号化後の磁気データとを単一のインターフェースによって上位回路８へ伝達することができる。また、本形態では、磁気ヘッド５から出力されるアナログ状の出力信号が磁気ヘッド４で復調され、暗号化されているため、共通の復調ＩＣ１１およびＣＰＵ１２を用いて、磁気ヘッド４の出力信号および磁気ヘッド５の出力信号を復調して暗号化することができる。さらに、本形態では、磁気ヘッド５に暗号化用のＣＰＵが設けられていなくても、磁気ヘッド５から出力される暗号化前のデータ信号がスキミング用の信号線によって取り出されるのを防止することが可能になる。したがって、本形態では、２個の磁気ヘッド４、５がカードリーダ１に搭載されている場合であっても、スキミングを防止しつつ、カードリーダ１のコストを低減することが可能になる。
【００５８】
また、本形態では、信号端子２０は、折返し部６ｂによって覆われているため、ケース体２１から信号端子２０の他端側が突出していても、スキミングを防止することが可能になる。したがって、ケース体２１から信号端子２０の他端側が突出している標準的な磁気ヘッド５（すなわち、磁気ヘッド５の汎用品）を使用しても、スキミングを防止することが可能になる。その結果、本形態では、磁気ヘッド５のコストを低減して、カードリーダ１のコストをより低減することが可能になる。また、本形態では、ケース体２１から信号端子２０の他端側が突出していても、スキミングを防止することが可能になるため、スキミングを防止しつつ、信号端子２０へのフレキシブルケーブル６の接続作業が容易になる。
【００５９】
本形態では、フレキシブルケーブル６の長手方向で端子接続部６ａに繋がる折返し部６ｂが、フレキシブルケーブル６の幅方向の一端側で端子接続部６ａに繋がる第１折畳み部６ｃによって覆われ、かつ、第１折畳み部６ｃの一部が、フレキシブルケーブル６の幅方向の他端側で端子接続部６ａに繋がる第２折畳み部６ｄによって覆われている。そのため、フレキシブルケーブル６の幅方向の両側において、端子接続部６ａの端面および折返し部６ｂの端面を第１折畳み部６ｃおよび第２折畳み部６ｄで覆うことができる。したがって、本形態では、フレキシブルケーブル６の幅方向の両側において、端子接続部６ａの端面と折返し部６ｂの端面との間から信号端子２０にスキミング用の信号線が取り付けられるのを防止することが可能になる。
【００６０】
特に本形態では、第２折畳み部６ｄは、第１折畳み部６ｃに半田付けされて固定されているため、第１折畳み部６ｃから第２折畳み部６ｄを容易に剥がすことができない。したがって、本形態では、フレキシブルケーブル６の幅方向の両側において、端子接続部６ａの端面と折返し部６ｂの端面との間から信号端子２０にスキミング用の信号線が取り付けられるのを効果的に防止することが可能になる。
【００６１】
本形態では、半田付けされて固定される第１折畳み部６ｃのランド２４と第２折畳み部６ｄのランド２５とによって、断線検知信号パターン３３と断線検知信号パターン３４とが繋がれている。そのため、第１折畳み部６ｃから第２折畳み部６ｄが剥がされると、断線検知信号パターン３３、３４の断線が検知される。したがって、本形態では、犯罪者による犯罪行為を早期に検知することが可能になる。
【００６２】
本形態では、断線検知信号層２８に、断線検知信号パターン３３、３４との間の短絡を検知するための短絡検知信号を伝える短絡検知信号パターン３７が形成されている。そのため、断線検知信号が機能しないようにするために、犯罪者が断線検知信号パターン３３、３４に所定の細工を行った場合に、短絡検知信号パターン３７の短絡検知機能によって、犯罪行為が行われていることを検知することが可能になる。すなわち、本形態では、犯罪者による犯罪行為を検知しやすくなる。
【００６３】
（他の実施の形態）
上述した形態および変形例は、本発明の好適な形態の一例ではあるが、これに限定されるものではなく本発明の要旨を変更しない範囲において種々変形実施が可能である。
【００６４】
上述した形態では、フレキシブルケーブル６のデータ信号パターン３１は、信号端子２０から出力される出力信号をデータ信号として、基板１３へ伝えている。この他にもたとえば、データ信号パターン３１は、信号端子２０から出力される出力信号を復調した復調信号（第２の復調信号）をデータ信号として、基板１３へ伝えても良い。すなわち、磁気ヘッド５は、図１０、図１１に示すように、信号端子２０から出力されるアナログ状の出力信号を復調してデジタル状の復調信号（第２の復調信号）を生成する復調ＩＣ５１を備えていても良い。信号端子２０には、コアおよびコイルによって構成される磁気データ読取部４９のコイルの端部が接続されている。
【００６５】
この場合には、コア、コイルおよび信号端子２０は、ケース体２１の内部に収容されている（図１１参照）。復調ＩＣ５１は、フレキシブルケーブル６の一端側に実装されている。図１１に示すように、フレキシブルケーブル６の、復調ＩＣ５１が実装される実装部６ｆは、ケース体２１の内部に復調ＩＣ５１が配置されるように、ケース体２１の上端に固定されており、信号端子２０を覆っている。フレキシブルケーブル６の、実装部６ｆよりも一端側に形成される部分は、信号端子２０に接続されている。ケース体２１の内部には、樹脂が充填されており、信号端子２０および復調ＩＣ５１等がこの樹脂の中に埋まっている。なお、この場合のフレキシブルケーブル６には、折返し部６ｂ、第１折畳み部６ｃおよび第２折畳み部６ｄは形成されていない。また、信号端子２０は、リード線等を介して、フレキシブルケーブル６の一端側に接続されても良く、このときには、フレキシブルケーブル６に端子接続部６ａは形成されない。
【００６６】
また、この場合には、フレキシブルケーブル６の端子接続部２３の磁気ヘッド信号端子３２は、基板１３内の信号パターンを介してＣＰＵ１２に接続されており（図１０参照）、ＣＰＵ１２は、復調ＩＣ５１からの復調信号を暗号化して暗号化信号（第２の暗号化信号）を生成する。この場合には、フレキシブルケーブル６によって復調信号が磁気ヘッド５から磁気ヘッド４へ伝達されるため、信号端子２０からの出力信号がフレキシブルケーブル６によって伝達される場合と比較して、耐ノイズ性を高めることが可能になる。なお、この場合の実装部６ｆは、第２の信号端子である信号端子２０を覆う端子覆部である。また、この場合の復調ＩＣ５１は、第２の復調用電子部品である。
【００６７】
上述した形態では、磁気ヘッド４は３チャンネル型の磁気ヘッドであり、磁気ヘッド５は１チャンネル型の磁気ヘッドであるが、磁気ヘッド４が１チャンネル型の磁気ヘッドであり、磁気ヘッド５が３チャンネル型の磁気ヘッドであっても良い。また、上述した形態では、磁気ヘッド４に、１個の磁気ヘッド５がフレキシブルケーブル６を介して接続されているが、磁気ヘッド４に、複数の磁気ヘッド５がフレキシブルケーブル６を介して接続されても良い。また、カードリーダ１が複数の磁気ヘッド４を備え、複数の磁気ヘッド４のそれぞれに、１個または複数の磁気ヘッド５がフレキシブルケーブル６を介して接続されても良い。
【００６８】
上述した形態では、折返し部６ｂが端子接続部６ａを覆うように折り返されて端子接続部６ａに固定されている。この他にもたとえば、第１折畳み部６ｃが端子接続部６ａを覆うように折り返されて端子接続部６ａに固定されても良い。この場合には、第２折畳み部６ｄが第１折畳み部６ｃを覆うように折り返されて第１折畳み部６ｃに固定されるとともに、折返し部６ｂが第１折畳み部６ｃおよび第２折畳み部６ｄを覆うように折り返されて第１折畳み部６ｃおよび第２折畳み部６ｄに固定されても良いし、折返し部６ｂが第１折畳み部６ｃを覆うように折り返されて第１折畳み部６ｃに固定されるとともに、第２折畳み部６ｄが折返し部６ｂを覆うように折り返されて折返し部６ｂに固定されても良い。また、この場合には、折返し部６ｂは折り返されなくても良い。なお、この場合の第１折畳み部６ｃは、端子接続部６ａを覆うように折り返されて端子接続部６ａに固定される端子覆部である。
【００６９】
上述した形態では、第２折畳み部６ｄが第１折畳み部６ｃを覆うように折り返されて第１折畳み部６ｃに固定されている。この他にもたとえば、第２折畳み部６ｄが第１折畳み部６ｃに重ならないように、第１折畳み部６ｃが形成されるとともに、第１折畳み部６ｃと第２折畳み部６ｄとによって折返し部６ｂが覆われるように、第１折畳み部６ｃおよび第２折畳み部６ｄが折り返されて折返し部６ｂに固定されても良い。この場合の第１折畳み部６ｃおよび第２折畳み部６ｄは、端子覆部である折返し部６ｂを覆うように折り返されて折返し部６ｂに固定される外側覆部である。
【００７０】
上述した形態では、フレキシブルケーブル６は、第１折畳み部６ｃおよび第２折畳み部６ｄを備えているが、フレキシブルケーブル６は、第１折畳み部６ｃおよび第２折畳み部６ｄを備えていなくても良い。この場合には、フレキシブルケーブル６の構成を簡素化することができる。また、上述した形態では、断線検知信号層２８に、短絡検知信号パターン３７が形成されているが、断線検知信号層２８に、短絡検知信号パターン３７が形成されていなくても良い。
【００７１】
上述した形態では、ＣＰＵ１２は、ケース体１５の外部に配置されているが、ＣＰＵ１２は、ケース体１５の内部に配置されても良い。また、上述した形態では、ＣＰＵ１２は、基板１３への実装面１２ａに複数の半田ボールが配置されたＢＧＡ型の電子部品であるが、ＣＰＵ１２は、複数の平面状の電極が実装面１２ａに格子状に配列されたＬＧＡ（Ｌａｎｄ  Ｇｒｉｄ  Ａｒｒａｙ）型の電子部品であっても良いし、先端が尖ったピン状の複数の電極が実装面１２ａに格子状に配列されたＰＧＡ（Ｐｉｄ  Ｇｒｉｄ  Ａｒｒａｙ）型の電子部品であっても良い。
【００７２】
上述した形態では、基板１３の厚さ方向から見たときに、ＣＰＵ１２の外形の中に復調ＩＣ１１が入るように、復調ＩＣ１１およびＣＰＵ１２が基板１３に実装されているが、基板１３の厚さ方向から見たときに、ＣＰＵ１２の外形から復調ＩＣ１１の一部がはみ出すように、復調ＩＣ１１およびＣＰＵ１２が基板１３に実装されても良い。
【００７３】
上述した形態では、磁気ヘッド４、５は、カード２に記録された磁気データの読取りを行うためのデータ再生用の磁気ヘッドであるが、磁気ヘッド４、５は、磁気データの読取りおよび磁気データの書込みを行うデータ再生記録用の磁気ヘッドであっても良い。また、上述した形態では、カードリーダ１は、スワイプ式のカードリーダであるが、本発明が適用されるカードリーダは、ユーザが手動でカード２を装置内部に挿入するとともに装置内部から抜き取るディップ式のカードリーダであっても良いし、カードの搬送機構を備えるカード搬送式のカードリーダであっても良い。
【符号の説明】
【００７４】
１  カードリーダ
２  カード
４  磁気ヘッド（第１の磁気ヘッド）
５  磁気ヘッド（第２の磁気ヘッド）
６  フレキシブルケーブル
６ａ  端子接続部
６ｂ  折返し部（端子覆部）
６ｃ  第１折畳み部（外側覆部）
６ｄ  第２折畳み部（第２の外側覆部）
６ｆ  実装部（端子覆部）
１０  信号端子（第１の信号端子）
１１  復調ＩＣ（復調用電子部品）
１２  ＣＰＵ（暗号化用電子部品）
１３  基板
１４  フレキシブルケーブル（ケーブル）
１５  ケース体
２０  信号端子（第２の信号端子）
２１  ケース体（第２のケース体）
２２  スルーホール
２７  データ信号層
２８  断線検知信号層
３１  データ信号パターン
３３、３４  断線検知信号パターン
３７  短絡検知信号パターン
５１  復調ＩＣ（第２の復調用電子部品）
【図１】
0005690226.tif 000002
【図２】
0005690226.tif 000003
【図３】
0005690226.tif 000004
【図４】
0005690226.tif 000005
【図５】
0005690226.tif 000006
【図６】
0005690226.tif 000007
【図７】
0005690226.tif 000008
【図８】
0005690226.tif 000009
【図９】
0005690226.tif 000010
【図１０】
0005690226.tif 000011
【図１１】
0005690226.tif 000012